(57)【要約】【課題】キャリア・アグリゲーションのシナリオでダウンリンク制御情報の検出方法及びユーザー設備。【解決手段】本発明はダウンリンク制御情報の検出方法を提供し、キャリア・アグリゲーションのシナリオで、ユーザー設備はコンポーネントキャリアがプライマリーコンポーネントキャリアであるか又はセカンダリコンポーネントキャリアであるかにより、該コンポーネントキャリア上に物理ダウンリンク制御チャネル（PDCCH）のモニターを行う。本発明はさらにユーザー設備を提供し、本発明はキャリア・アグリゲーションのシナリオでPDCCHのモニターを実現させる。【選択図】図１【特許請求の範囲】
【請求項１】
ダウンリンク制御情報の検出方法であって、
前記方法は、キャリア・アグリゲーションのシナリオで、ユーザー設備はコンポーネントキャリアがプライマリーコンポーネントキャリアであるか又はセカンダリコンポーネントキャリアであるかによって、該コンポーネントキャリアにおいて物理ダウンリンク制御チャネル（PDCCH）モニターを行うことを含むダウンリンク制御情報の検出方法。
【請求項２】
前記該コンポーネントキャリアに物理ダウンリンク制御チャネルのモニターを行うのは、前記コンポーネントキャリアがプライマリーコンポーネントキャリアである場合、ユーザー専有探索空間と共有探索空間でPDCCHのモニターを行うことを含む請求項1に記載の方法。
【請求項３】
前記該コンポーネントキャリアに物理ダウンリンク制御チャネルのモニターを行うのは、前記コンポーネントキャリアがプライマリーコンポーネントキャリアである場合、共有探索空間において、セル無線ネットワーク一時識別子（C-RNTI）、伝送電力制御-物理アップリンク制御チャネル無線ネットワーク一時識別子（TPC-PUCCH-RNTI）、伝送電力制御-物理アップリンク共有チャネル無線ネットワーク一時識別子（TPC-PUSCH-RNTI）、セミパーシステントスケジューリングセル無線ネットワーク一時識別子（SPS C-RNTI）、システムメッセージセル無線ネットワーク一時識別子（SI-RNTI）、ページングセル無線ネットワーク一時識別子（P-RNTI）とランダムアクセスセル無線ネットワーク一時識別子（RA-RNTI）でスクランブルされた巡回冗長検査（CRC）によってダウンリンク制御情報フォーマット（DCI format）のモニターを行い、
ユーザー専有探索空間に、C-RNTIとSPS C-RNTIでスクランブルされたCRCによってDCI formatのモニターを行うことを含む請求項2に記載の方法。
【請求項４】
前記該コンポーネントキャリアに物理ダウンリンク制御チャネルのモニターを行うのは、前記コンポーネントキャリがセカンダリコンポーネントキャリアである場合、もしこのコンポーネントキャリアの物理ダウンリンク共有チャネル（PDSCH）が同じコンポーネントキャリア上のPDCCHによってスケジューリングされるならば、相応のユーザー専有探索空間と前記セカンダリコンポーネントキャリアの共有探索空間でPDCCHのモニターを行うことを含む請求項1に記載の方法。
【請求項５】
前記該コンポーネントキャリアに物理ダウンリンク制御チャネルのモニターを行うのは、前記コンポーネントキャリアがセカンダリコンポーネントキャリアである場合、もしこのコンポーネントキャリアの物理ダウンリンク共有チャネル（PDSCH）が同じコンポーネントキャリア上のPDCCHによってスケジューリングされるならば、前記ユーザー専有探索空間において、C-RNTIでスクランブルされたCRCによってDCI formatのモニターを行い、前記共有探索空間において、C-RNTIでスクランブルされたCRCによってDCI formatのモニターを行い、
或は、前記コンポーネントキャリアがセカンダリコンポーネントキャリアである場合、もしこのコンポーネントキャリアの物理ダウンリンク共有チャネル（PDSCH）は同じコンポーネントキャリア上のPDCCHによってスケジューリングされるならば、前記ユーザー専有探索空間において、C-RNTIでスクランブルされたCRCによってDCI formatのモニターを行い、前記共有探索空間において、C-RNTI、TPC-PUCCH-RNTIとTPC-PUSCH-RNTIでスクランブルされたCRCによってDCI formatのモニターを行うことを含む請求項4に記載の方法。
【請求項６】
前記該コンポーネントキャリアに物理ダウンリンク制御チャネルのモニターを行うのは、前記コンポーネントキャリがセカンダリコンポーネントキャリアである場合、もしこのコンポーネントキャリアのPDSCHが自身以外のほかのコンポーネントキャリア上のPDCCHでスケジューリングされるならば、前記ユーザー専有探索空間のみにおいてPDCCHのモニターを行い、前記共有探索空間においてPDCCHモニターを行わないことを含む請求項4に記載の方法。
【請求項７】
前記該コンポーネントキャリアに物理ダウンリンク制御チャネルのモニターを行うのは、前記コンポーネントキャリアがセカンダリコンポーネントキャリアである場合、もしこのコンポーネントキャリアのPDSCHが前記ほかのコンポーネントキャリア上のPDCCHによってスケジューリングされるならば、前記ユーザー専有探索空間において、C-RNTIでスクランブルされたCRCによってDCI formatのモニターを行い、前記共有探索空間において、いずれのDCI formatもモニターしないことを含む請求項6に記載の方法。
【請求項８】
前記該コンポーネントキャリアに物理ダウンリンク制御チャネルのモニターを行うのは、前記コンポーネントキャリアがセカンダリコンポーネントキャリアである場合、相応のユーザー専有探索空間のみにおいてPDCCHのモニターを行い、前記セカンダリコンポーネントキャリアの共有探索空間においてPDCCHモニターを行わないことを含む請求項1に記載の方法。
【請求項９】
前記該コンポーネントキャリアに物理ダウンリンク制御チャネルのモニターを行うのは、前記コンポーネントキャリアがセカンダリコンポーネントキャリアである場合、前記ユーザー専有探索空間において、C-RNTIでスクランブルされたCRCによってDCI formatのモニターを行い、前記共有探索空間において、いずれのDCI formatもモニターしないことを含む請求項8に記載の方法。
【請求項１０】
前記該コンポーネントキャリアに物理ダウンリンク制御チャネルのモニターを行うのは、ランダムアクセスの操作を行う場合、前記ユーザー専有探索空間或は前記共有探索空間において、また一時的C-RNTIでスクランブルされたCRCによってDCI formatのモニターを行うことを含む請求項3〜9のいずれか１つに記載の方法。
【請求項１１】
前記コンポーネントキャリアがセカンダリコンポーネントキャリアである場合、前記ユーザー専有探索空間において、ユーザー設備がユーザー専有探索空間の候補PDCCHをモニターするに対応の探索空間及び回数は、ユーザー設備がプライマリーコンポーネントキャリアにおいてユーザー専有探索空間の候補PDCCHをモニターするに対応の探索空間及び回数と同じである請求項4〜9のいずれか１つに記載の方法。
【請求項１２】
前記コンポーネントキャリアがセカンダリコンポーネントキャリアである場合、前記ユーザー専有探索空間において、ユーザー設備がユーザー専有探索空間の候補PDCCHをモニターするに対応の探索空間及び回数は、ユーザー設備がプライマリーコンポーネントキャリア上においてユーザー専有探索空間の候補PDCCHをモニターするに対応の探索空間及び回数より増やされ、ここで、1つ或は複数のアグリゲーションレベルに、合計でK個の候補PDCCHを増やし、前記Kは6の以下である請求項4〜9のいずれか１つに記載の方法。 
【請求項１３】
前記Kは3である請求項12に記載の方法。
【請求項１４】
前記セカンダリコンポーネントキャリアの共有探索空間でのいずれのDCI formatも検出しない場合、前記Kは6である請求項12に記載の方法。
【請求項１５】
前記方法はさらに、
基地局はアップ・ダウンリンク伝送モードの配置情報と探索空間の定義方法によって、プライマリーコンポーネントキャリアとセカンダリコンポーネントキャリアにおいて相応のDCI formatを送信することを含む請求項1〜9のいずれか１つに記載の方法。
【請求項１６】
前記プライマリーコンポーネントキャリアとセカンダリコンポーネントキャリアがハイレベルシグナルによって配置され、或はハイレベルシグナルが配置したキャリア集合によってプライマリーコンポーネントキャリア或はセカンダリコンポーネントキャリアを表示する請求項1〜9のいずれか１つに記載の方法。
【請求項１７】
ユーザー設備であって、
前記ユーザー設備は、キャリア・アグリゲーションのシナリオにおいて、コンポーネントキャリアがプライマリーコンポーネントキャリアであるか又はセカンダリコンポーネントキャリアであるかによって、該コンポーネントキャリアにおいて物理ダウンリンク制御チャネルのモニターを行うように設置されるユーザー設備。
【請求項１８】
前記ユーザー設備は、前記コンポーネントキャリアがプライマリーコンポーネントキャリアである場合、
共有探索空間において、セル無線ネットワーク一時識別子（C-RNTI）、伝送電力制御-物理アップリンク制御チャネル無線ネットワーク一時識別子（TPC-PUCCH-RNTI）、伝送電力制御-物理アップリンク共有チャネル無線ネットワーク一時識別子（TPC-PUSCH-RNTI）、セミパーシステントスケジューリングセル無線ネットワーク一時識別子（SPS C-RNTI）、システムメッセージセル無線ネットワーク一時識別子（SI-RNTI）、ページングセル無線ネットワーク一時識別子（P-RNTI）とランダムアクセスセル無線ネットワーク一時識別子（RA-RNTI）でスクランブルされた巡回冗長検査（CRC）によってダウンリンク制御情報フォーマット（DCI format）のモニターを行い、
ユーザー専有探索空間において、C-RNTIとSPS C-RNTIでスクランブルされたCRCによってDCI formatのモニターを行うように設置される請求項17に記載のユーザー設備。
【請求項１９】
前記ユーザー設備は、前記コンポーネントキャリアがセカンダリコンポーネントキャリアである場合、もしこのコンポーネントキャリアの物理ダウンリンク共有チャネル（PDSCH）が同じコンポーネントキャリア上のPDCCHによってスケジューリングされるならば、相応のユーザー専有探索空間と前記セカンダリコンポーネントキャリア上の共有探索空間にPDCCHのモニターを行うように設置される請求項17に記載のユーザー設備。
【請求項２０】
前記ユーザー設備は、前記コンポーネントキャリアがセカンダリコンポーネントキャリアである場合、もしこのコンポーネントキャリアの物理ダウンリンク共有チャネル（PDSCH）が同じコンポーネントキャリア上のPDCCHによってスケジューリングされるならば、前記ユーザー専有探索空間において、C-RNTIでスクランブルされたCRCによってDCI formatのモニターを行い、前記共有探索空間において、C-RNTIでスクランブルされたCRCによってDCI formatのモニターを行うように設置される請求項19に記載のユーザー設備。
【請求項２１】
前記ユーザー設備は、前記コンポーネントキャリアがセカンダリコンポーネントキャリアである場合、もしこのコンポーネントキャリアのPDSCHがほかのコンポーネントキャリア上のPDCCHによってスケジューリングされるならば、前記ユーザー専有探索空間のみにおいてPDCCHのモニターを行い、前記共有探索空間においてPDCCHモニターを行わないように設置される請求項19に記載のユーザー設備。
【請求項２２】
前記ユーザー設備は、前記コンポーネントキャリアがセカンダリコンポーネントキャリアである場合、もしこのコンポーネントキャリアのPDSCHが自身以外のほかのコンポーネントキャリア上のPDCCHによってスケジューリングされるならば、前記ユーザー専有探索空間において、C-RNTIでスクランブルされたCRCによってDCI formatのモニターを行い、前記共有探索空間において、いずれのDCI formatもモニターしないように設置される請求項21に記載のユーザー設備。
【請求項２３】
前記ユーザー設備は、前記コンポーネントキャリアがセカンダリコンポーネントキャリアである場合、相応のユーザー専有探索空間のみにおいてPDCCHのモニターを行い、前記セカンダリコンポーネントキャリアの共有探索空間においてPDCCHモニターを行わないように設置される請求項17に記載のユーザー設備。
【請求項２４】
前記ユーザー設備は、前記コンポーネントキャリアがセカンダリコンポーネントキャリアである場合、前記ユーザー専有探索空間において、C-RNTIでスクランブルされたCRCによってDCI formatのモニターを行い、前記共有探索空間において、いずれのDCI formatもモニターしないように設置される請求項23に記載のユーザー設備。
【請求項２５】
前記ユーザー設備は、ランダムアクセスの操作を行う場合、前記ユーザー専有探索空間或は前記共有探索空間に、また一時的C-RNTIでスクランブルされたCRCによってDCI formatのモニターを行うように設置される請求項18〜24のいずれか１つに記載のユーザー設備。
【請求項２６】
前記ユーザー設備は、前記コンポーネントキャリアがセカンダリコンポーネントキャリアである場合、前記ユーザー専有探索空間において、ユーザー専有探索空間の候補PDCCHをモニターするに対応の探索空間及び回数が、プライマリーコンポーネントキャリアにおいてユーザー専有探索空間の候補PDCCHをモニターするに対応の探索空間及び回数と同じであるように設置される請求項19〜24のいずれか１つに記載のユーザー設備。
【請求項２７】
前記ユーザー設備は、前記コンポーネントキャリアがセカンダリコンポーネントキャリアである場合、前記ユーザー専有探索空間において、ユーザー専有探索空間の候補PDCCHをモニターするに対応の探索空間及び回数が、プライマリーコンポーネントキャリアにおいてユーザー専有探索空間の候補PDCCHをモニターするに対応の探索空間及び回数より増やされ、ここで、1つ或は複数のアグリゲーションレベルにおいて、合計でK個の候補PDCCHを増やし、前記Kは6の以下であるように設置される請求項10〜24のいずれか１つに記載のユーザー設備。
【請求項２８】
前記Kは3である請求項27に記載のユーザー設備。
【請求項２９】
前記セカンダリコンポーネントキャリアの共有探索空間におけるいずれのDCI formatも検出しない場合、前記Kは6である請求項27に記載のユーザー設備。
【請求項３０】
前記ユーザー設備は、ハイレベルシグナル配置によってプライマリーコンポーネントキャリアとセカンダリコンポーネントキャリアを知り、或はハイレベルシグナルが配置したキャリア集合によってプライマリーコンポーネントキャリア或はセカンダリコンポーネントキャリアを知る請求項17〜24のいずれか１つに記載のユーザー設備。
【発明の詳細な説明】
【技術分野】
【０００１】
本発明は通信分野に関し、特にキャリア・アグリゲーションのシナリオでダウンリンク制御情報の検出方法及びユーザー設備に関する。
【背景技術】
【０００２】
ロング・ターム・エボリューション（Long Term Evolution，LTE）システムにおける無線フレーム（radio frame）は周波数分割複信（Frequency Division Duplex，FDD）モードと時分割複信（Time Division Duplex，TDD）モードのフレーム構造を含む。FDDモードのフレーム構造は、図1に示すように、1つの10ミリ秒（ms）の無線フレームは20個の長さ0.5msで、番号が0〜19であるタイムスロット（slot）からなり、タイムスロット2iと2i+1は長さが1msであるサブフレーム（subframe）iを構成する。TDDモードのフレーム構造は、図2に示すように、1つの10msの無線フレームは2つの長さが5msであるハーフフレーム（half frame）からなり、1つのハーフフレームは5個の長さが1msであるサブフレームを含み、サブフレームiは2個の長さが0.5msであるタイムスロット2iと2i+1に定義された。前記2種のフレーム構造において、標準サイクリックプレフィックス（Normal CP，Normal Cyclic Prefix）に対して、1つのタイムスロットは7個の長さが66.7マイクロ（us）の符号を含み、ここでの第1符号のCP長さは5.21usであり、他の6個の符号のCP長さは4.69 usであり、拡張サイクリックプレフィックス（Extended CP，Extended Cyclic Prefix）に対して、1つのタイムスロットは6個の符号を含み、全ての符号のCP長さは16.67 usである。
【０００３】
LTEのバージョン番号はR8（Release 8）に対応し、その増やしたバージョンが対応するバージョン番号はR9（Release 9）であり、これからのLTE-Advanceに対して、そのバージョン番号はR10（Release 10）である。LTEにおいては、以下の通りの3種類のダウンリンク物理制御チャネル:物理ダウンリンク制御フォーマット指示チャネル（Physical Control Format Indicator Channel，PCFICH）、物理ハイブリッド自動再送請求指示チャネル（Physical Hybrid Automatic Retransmission Request Indicator Channel，PHICH）、物理ダウンリンク制御チャネル（Physical Downlink Control Channel，PDCCH）を定義した。
【０００４】
ここで、PCFICHがキャリングした情報は1つのサブフレームの中にPDCCHを伝送する直交周波数分割多重（Orthogonal Frequency Division Multiplexing，OFDM）符号の数を指示することに用いられ、サブフレームの第1個のOFDM符号の上で送信し、所在する周波数位置はシステムのダウンリンク帯域幅とセル識別子（Identity，ID）によって決められる。
【０００５】
PHICHはアップリンク伝送データの肯定応答/否定応答ACK/NACK）フィードバック情報をキャリングすることに用いられる。PHICHの数、時間・周波数位置はPHICHが所在するダウンリンクキャリアの物理ブロードキャストチャネル（Physical Broadcast Channel，PBCH）におけるシステムメッセージとセルIDによって決められる。
【０００６】
PDCCHはダウンリンク制御情報（Downlink Control Information，DCI）をキャリングすることに用いられ、アップ、ダウンリンクスケジューリング情報、及びアップリンク電力制御情報を含む。DCIのフォーマット（DCI format）はDCI format 0、DCI format 1、DCI format 1A、DCI format 1B、DCI format 1C、DCI format 1D、DCI format 2、DCI format 2A、DCI format 3及びDCI format 3Aなどのいくつ種に分けられ、ここで、
DCI format 0は物理アップリンク共有チャネル（Physical Uplink Shared Channel，PUSCH）のスケジューリングを指示することに用いられ、
DCI format 1、DCI format 1A、DCI format 1B、DCI format 1C、DCI format 1Dは1つのPDSCHコードワードスケジューリングの異なるモードに用いられ、
DCI format 2、DCI format 2A、DCI format 2Bは空間分割多重化の異なるモードに用いられ、
DCI format 3、DCI format 3Aは物理アップリンク制御チャネル（Physical Uplink Control Channel，PUCCH）とPUSCHの電力制御コマンドの異なるモードに用いられる。
【０００７】
物理ダウンリンク制御チャネルPDCCHが伝送する物理リソースは制御チャネルエレメント（Control Channel Element，CCE）を単位として、1つのCCEの大きさは9個のリソースエレメントグループ（Resource Element Group，REG）であり、即ち36個のリソースエレメント（Resource Element）であり、1つのPDCCHは1、2、4或は8個のCCEを占めるかもしれない。1、2、4、8個のCCEを占めるこの4種類のPDCCHの大きさに対して、ツリーアグリゲーション（Aggregation）を採用し、即ち1つのCCEを占めるPDCCHはいずれかのCCE位置から始められ、2つのCCEを占めるPDCCHは偶数CCE位置から始め、4つのCCEを占めるPDCCHは4の整数倍のCCE位置から始め、8つのCCEを占めるPDCCHは8の整数倍のCCE位置から始める。
【０００８】
各アグリゲーションレベル（Aggregation level）は1つの探索空間（Search space）を定義し、共有（common）探索空間とユーザー設備（User Equipment，UE）専有（UE-Specific）の探索空間を含む。探索空間全体のCCEの数は各ダウンリンクサブフレームにおけるPCFICHが指示する制御エリアに占用されたOFDM符号の数とPHICHのグループ数によって決められる。UEは探索空間内に所在する伝送モードのDCI formatにより全ての可能なPDCCHビットレートに対してブラインド検出を行う。
【０００９】
【数１】
2013530649.tif 000002
【００１０】
【数２】
2013530649.tif 000003
【００１１】
UE専有探索空間（UE-specific search space ）に対して、Lは1、2、4、8を取る。
【００１２】
【数３】
2013530649.tif 000004
【００１３】
UEはアグリゲーションレベル が4 と 8である各1つの共有探索空間、及びアグリゲーションレベル が1、2、4、8である各1つのUE専有探索空間を検出するべき、共有探索空間とUE専有探索空間は重なることができる。具体的な検出回数と対応の探索空間は表１の通り:
【表１】
2013530649.tif 000005
【００１４】
UEはハイレベルシグナルセミパーシステント（semi-statically）の以下の1種に基づくように設置された1種の伝送モード（transmission mode）に通じ、ユーザー設備専有（UE-Specific）の探索空間のPDCCHの指示によってPDSCHデータ伝送を受信し、
モード1：シングルアンテナポート、ポート0（Single-antenna port；port 0）
モード2：送信ダイバーシチ（Transmit diversity）
モード3：オーペンループ空間多重化（Open-loop spatial multiplexing）
モード4：閉ループ空間多重化（Closed-loop spatial multiplexing）
モード5：マルチユーザー多入力多出力（Multi-user MIMO）
モード6:閉ループRank=1プリコーディング（Closed-loop Rank=1 precoding）
モード7:シングルアンテナポート、ポート5（Single-antenna port；port 5）
【００１５】
もしUEはハイレベルにセル無線ネットワーク一時識別子（C-RNTI，Cell Radio Network Temporary Identifier）でスクランブルされた巡回冗長検査（CRC，Cyclical Redundancy Check）を用いてPDCCHデコードを行うように設置されるならば、UEは表2に定義された相応の組合によってPDCCHと全ての相関するPDSCHをデコードし:
【表２】
2013530649.tif 000006
【００１６】
もしUEはハイレベルにセミパーシステントスケジューリングセル無線ネットワーク一時識別子（Semi-persistently Scheduled Cell Radio Network Temporary Identifier，SPS C-RNTI）でスクランブルされたCRCを用いてPDCCHデコードを行うように設置されるならば、UEは表3に定義された相応の組合によってPDCCHと全ての相関するPDSCHをデコードし:
【表３】
2013530649.tif 000007
【００１７】
もしUEはハイレベルにシステムメッセージセル無線ネットワーク一時識別子（System Information - Cell Radio Network Temporary Identifier，SI-RNTI）でスクランブルされたCRCを用いてPDCCHデコードを行うように設置されるならば、UEは下表4に定義された相応の組合によってPDCCHをデコードし:
【表４】
2013530649.tif 000008
【００１８】
もしUEはハイレベルにページングセルの無線ネットワーク一時識別子（Paging - Cell Radio Network Temporary Identifier，P-RNTI）でスクランブルされたCRCを用いてPDCCHデコードを行うように設置されるならば、UEは下表5に定義された相応の組合によってPDCCHをデコードし:
【表５】
2013530649.tif 000009
【００１９】
もしUEはハイレベルにランダムアクセスセル無線ネットワーク一時識別子（Random Access Channel - Cell Radio Network Temporary Identifier，RA-RNTI）でスクランブルされたCRCを用いてPDCCHデコードを行うように設置されるならば、UEは下表6に定義された相応の組合によってPDCCHをデコードし:
【表６】
2013530649.tif 000010
【００２０】
LTE-AdvancedネットワークはLTEユーザーにアクセスすることができることが必要であるため、その運用バンドは現在のLTE周波数帯域を被覆する必要があり、このバンドに割り当てる可能性がある連続的な100MHzのスペクトル帯域幅は既に存在せず、そのため、LTE-Advancedに解決する必要がある直接な技術は複数の異なるバンドに分布された連続的なコンポーネントキャリア（スペクトル）（Component Carrier）をキャリア・アグリゲーション（Carrier Aggregation）技術を採用して集合させておき、LTE-Advancedが使える100MHz帯域幅に形成する。即ち、集合されたスペクトルに対して、n個のコンポーネントキャリア（スペクトル）に分けられ、各コンポーネントキャリア（スペクトル）内のスペクトルは連続的である。
【００２１】
3GPPはキャリア・アグリゲーションのシナリオに設定され、クロスコンポーネントキャリアスケジューリング（Cross Component Carrier Scheduling）の方式を採用することができ、複数のコンポーネントキャリアに対してスケジューリングをし、即ちあるコンポーネントキャリアの上で他のコンポーネントキャリアのダウンリンク制御チャネルPDCCHをモニターすることができる。それでは、ダウンリンク制御情報フォーマット（DCI format）の中にキャリアインジケーターフィールド（Carrier Indicator Field，CIF）を加える必要があり、これによってモニターされたPDCCHはどのコンポーネントキャリアのPDCCHを決める。
【００２２】
現有技術において、キャリア・アグリゲーションのシナリオで、もし複数のコンポーネントキャリアはアグリゲーションが現れるならば、1つのコンポーネントキャリアをプライマリーコンポーネントキャリア（PCC，Primary Component Carrier、またメインコンポーネントキャリアとも呼ばれることもある）に定義する必要があり、その後、残ったコンポーネントキャリアをセカンダリコンポーネントキャリア（SCC，Secondary Component Carrier、また二次のコンポーネントキャリアとも呼ばれることもある）に定義する。また、コンポーネントキャリアはまたサービスセル（Serving Cell）に呼ばれることもでき、かつプライマリーコンポーネントキャリアはプライマリーサービスセル（Primary Serving Cell）に呼ばれることができ、セカンダリコンポーネントキャリアはセカンダリサービスセル（Secondary Serving Cell）に呼ばれることもある。現在は如何にしてPDCCHモニター方式に対して変更する明確な確定された方案はまだいないため、実際の応用に不便をもたらす。
【発明の概要】
【発明が解決しようとする課題】
【００２３】
本発明が解決する技術問題は、キャリア・アグリゲーションのシナリオで、ダウンリンク制御情報の検出方法及びユーザー設備を提供し、PDCCHのモニターに対しての管理をすることに用いられることである。
【課題を解決するための手段】
【００２４】
前記問題を解決するため、本発明はダウンリンク制御情報の検出方法を提供し、キャリア・アグリゲーションのシナリオで、ユーザー設備はコンポーネントキャリアがプライマリーコンポーネントキャリアであるかまたはセカンダリコンポーネントキャリアであるかにより、該コンポーネントキャリアに物理ダウンリンク制御チャネル（PDCCH）のモニターをする。
【００２５】
ここで、前記該コンポーネントキャリアの上に物理ダウンリンク制御チャネルのモニターを行うことは、前記コンポーネントキャリアはプライマリーコンポーネントキャリアである場合、ユーザー専有探索空間と共有探索空間でPDCCHのモニターを行うことを含む。
【００２６】
ここで、前記該コンポーネントキャリア上に物理ダウンリンク制御チャネルのモニターを行うのは、前記コンポーネントキャリアはプライマリーコンポーネントキャリアである場合、共有探索空間において、セル無線ネットワーク一時識別子（C-RNTI）、伝送電力制御-物理アップリンク制御チャネル無線ネットワーク一時識別子（TPC-PUCCH-RNTI）、伝送電力制御-物理アップリンク共有チャネル無線ネットワーク一時識別子（TPC-PUSCH-RNTI）、セミパーシステントスケジューリングセル無線ネットワーク一時識別子（SPS C-RNTI）、システムメッセージセル無線ネットワーク一時識別子（SI-RNTI）、ページングセル無線ネットワーク一時識別子（P-RNTI）及びランダムアクセスセル無線ネットワーク一時識別子（RA-RNTI）でスクランブルされた巡回冗長検査（CRC）によってダウンリンク制御情報フォーマット（DCI format）のモニターを行い、
ユーザー専有探索空間に、C-RNTIとSPS C-RNTIでスクランブルされたCRCによってDCI formatのモニターを行うことを含む。
【００２７】
ここで、前記該コンポーネントキャリア上に物理ダウンリンク制御チャネルのモニターを行うのは、前記コンポーネントキャリアはセカンダリコンポーネントキャリアである場合、もしこのコンポーネントキャリアの物理ダウンリンク共有チャネル（PDSCH）は同じコンポーネントキャリア上のPDCCHでスケジューリングされるならば、相応のユーザー専有探索空間と前記セカンダリコンポーネントキャリアの共有探索空間にPDCCHのモニターを行うことを含む。
【００２８】
ここで、前記該コンポーネントキャリア上に物理ダウンリンク制御チャネルのモニターをするのは、前記コンポーネントキャリアはセカンダリコンポーネントキャリアである場合、もしこのコンポーネントキャリアの物理ダウンリンク共有チャネル（PDSCH）は同じコンポーネントキャリア上のPDCCHでスケジューリングされるならば、前記ユーザー専有探索空間に、C-RNTIでスクランブルされたCRCによってDCI formatのモニターを行い、前記共有探索空間に、C-RNTIでスクランブルされたCRCによってDCI formatのモニターを行い、或は、前記コンポーネントキャリアはセカンダリコンポーネントキャリアである場合、もしこのコンポーネントキャリアの物理ダウンリンク共有チャネル（PDSCH）は同じコンポーネントキャリア上のPDCCHでスケジューリングされるならば、前記ユーザー専有探索空間に、C-RNTIでスクランブルされたCRCによってDCI formatのモニターを行い、前記共有探索空間に、C-RNTI、TPC-PUCCH-RNTIとTPC-PUSCH-RNTIでスクランブルされたCRCによってDCI formatのモニターを行うことを含む。
【００２９】
ここで、前記該コンポーネントキャリア上に物理ダウンリンク制御チャネルのモニターを行うのは、前記コンポーネントキャリアはセカンダリコンポーネントキャリアである場合、もしこのコンポーネントキャリアのPDSCHは他のコンポーネントキャリア上のPDCCHでスケジューリングされるならば、前記ユーザー専有探索空間だけでPDCCHのモニターを行い、前記共有探索空間でPDCCHのモニターを行わないことを含む。
【００３０】
ここで、前記該コンポーネントキャリアの上で物理ダウンリンク制御チャネルのモニターを行うのは、前記コンポーネントキャリアはセカンダリコンポーネントキャリアである場合、もしこのコンポーネントキャリアのPDSCHは自身以外の他のコンポーネントキャリア上のPDCCHでスケジューリングされるならば、前記ユーザー専有探索空間に、C-RNTIでスクランブルされたCRCによってDCI formatのモニターを行い、前記共有探索空間に、いずれかのDCI formatをモニターしないことを含む。
【００３１】
ここで、前記該コンポーネントキャリア上に物理ダウンリンク制御チャネルのモニターを行うのは、前記コンポーネントキャリアはセカンダリコンポーネントキャリアである場合、相応のユーザー専有探索空間だけでPDCCHのモニターを行い、前記セカンダリコンポーネントキャリアの共有探索空間にPDCCHのモニターを行わないことを含む。
【００３２】
ここで、前記該コンポーネントキャリアの上に物理ダウンリンク制御チャネルのモニターを行うのは、前記コンポーネントキャリアはセカンダリコンポーネントキャリアである場合、前記ユーザー専有探索空間に、C-RNTIでスクランブルされたCRCによってDCI formatのモニターを行い、前記共有探索空間に、いずれかのDCI formatをモニターしないことを含む。
【００３３】
ここで、前記該コンポーネントキャリア上に物理ダウンリンク制御チャネルのモニターを行うのは、ランダムアクセスの操作を行う場合、前記ユーザー専有探索空間或は前記共有探索空間に、また一時的C-RNTIでスクランブルされたCRCによってDCI formatのモニターを行うことを含む。
【００３４】
ここで、前記コンポーネントキャリアはセカンダリコンポーネントキャリアである場合、前記ユーザー専有探索空間に、ユーザー設備がユーザー専有探索空間の候補PDCCHをモニターするに対応の探索空間及び回数は、ユーザー設備がプライマリーコンポーネントキャリアにおいてユーザー専有探索空間の候補PDCCHをモニターするに対応する探索空間及び回数と同じである。
【００３５】
ここで、前記コンポーネントキャリアはセカンダリコンポーネントキャリアである場合、前記ユーザー専有探索空間に、ユーザー設備がユーザー専有探索空間の候補PDCCHをモニターするに対応する探索空間及び回数は、ユーザー設備がプライマリーコンポーネントキャリアにおいてユーザー専有探索空間の候補PDCCHをモニターするに対応する探索空間及び回数より増やされ、ここで、1つ或は複数のアグリゲーションレベルに、合計でK個の候補PDCCHを増やし、前記Kは6以下である。
【００３６】
ここで、前記Kは3である。
【００３７】
ここで、前記セカンダリコンポーネントキャリアの共有探索空間でのいずれかのDCI formatを検出しない場合、前記Kは6である。
【００３８】
ここで、前記方法は、基地局はアップダウンリンク伝送モードによって情報と探索空間を配置する定義方法、プライマリーコンポーネントキャリアとセカンダリコンポーネントキャリアに相応のDCI formatを送信することをさらに含む。
【００３９】
ここで、前記プライマリーコンポーネントキャリアとセカンダリコンポーネントキャリアはハイレベルシグナルによって配置され、或はハイレベルシグナルが配置したキャリア集合によってプライマリーコンポーネントキャリア或はセカンダリコンポーネントキャリアを表示する。
【００４０】
本発明はユーザー設備をさらに提供し、前記ユーザー設備は、キャリア・アグリゲーションのシナリオで、コンポーネントキャリアはプライマリーコンポーネントキャリアであるか或はセカンダリコンポーネントキャリアであるかにより、該コンポーネントキャリアの上に物理ダウンリンク制御チャネルのモニターを行うように設置された。
【００４１】
ここで、前記ユーザー設備は前記コンポーネントキャリアがプライマリーコンポーネントキャリアである場合、
共有探索空間において、セル無線ネットワーク一時識別子（C-RNTI）、伝送電力制御-物理アップリンク制御チャネル無線ネットワーク一時識別子（TPC-PUCCH-RNTI）、伝送電力制御-物理アップリンク共有チャネル無線ネットワーク一時識別子（TPC-PUSCH-RNTI）、セミパーシステントスケジューリングセル無線ネットワーク一時識別子（SPS C-RNTI）、システムメッセージセル無線ネットワーク一時識別子（SI-RNTI）、ページングセル無線ネットワーク一時識別子（P-RNTI）及びランダムアクセスセル無線ネットワーク一時識別子（RA-RNTI）でスクランブルされた巡回冗長検査（CRC）によってダウンリンク制御情報フォーマット（DCI format）のモニターを行い、
ユーザー専有探索空間に、C-RNTIとSPS C-RNTIでスクランブルされたCRCによってDCI formatのモニターを行うように設置された。
【００４２】
ここで、前記ユーザー設備は、前記コンポーネントキャリアはセカンダリコンポーネントキャリアである場合、もしこのコンポーネントキャリアの物理ダウンリンク共有チャネル（PDSCH）は同じコンポーネントキャリア上のPDCCHでスケジューリングされるならば、相応のユーザー専有探索空間と前記セカンダリコンポーネントキャリアでの共有探索空間にPDCCHのモニターを行うように設置された。
【００４３】
ここで、前記ユーザー設備は、前記コンポーネントキャリアはセカンダリコンポーネントキャリアである場合、もしこのコンポーネントキャリアの物理ダウンリンク共有チャネル（PDSCH）は同じコンポーネントキャリアでのPDCCHでスケジューリングされるならば、前記ユーザー専有探索空間に、C-RNTIがスクランブルするCRCによってDCI formatのモニターを行い、前記共有探索空間に、C-RNTIがスクランブルするCRCによってDCI formatのモニターを行うように設置された。
【００４４】
ここで、前記ユーザー設備は、前記コンポーネントキャリアはセカンダリコンポーネントキャリアである場合、もしこのコンポーネントキャリアのPDSCHは他のコンポーネントキャリア上のPDCCHでスケジューリングされるならば、前記ユーザー専有探索空間だけでPDCCHのモニターを行い、前記共有探索空間でPDCCHのモニターを行わないように設置された。
【００４５】
ここで、前記ユーザー設備は、前記コンポーネントキャリアはセカンダリコンポーネントキャリアである場合、もしこのコンポーネントキャリアのPDSCHは自身以外の他のコンポーネントキャリア上のPDCCHでスケジューリングされるならば、前記ユーザー専有探索空間に、C-RNTIでスクランブルされたCRCによってDCI formatのモニターを行い、前記共有探索空間に、いずれかのDCI formatをモニターしないように設置された。
【００４６】
ここで、前記ユーザー設備は、前記コンポーネントキャリアはセカンダリコンポーネントキャリアである場合、相応のユーザー専有探索空間だけでPDCCHのモニターを行い、前記セカンダリコンポーネントキャリアの共有探索空間でPDCCHのモニターを行わないように設置された。
【００４７】
ここで、前記ユーザー設備は、前記コンポーネントキャリアはセカンダリコンポーネントキャリアである場合、前記ユーザー専有探索空間に、C-RNTIでスクランブルされたCRCによってDCI formatのモニターを行い、前記共有探索空間に、いずれかのDCI formatをモニターしないように設置された。
【００４８】
ここで、前記ユーザー設備は、ランダムアクセスの操作を行う場合、前記ユーザー専有探索空間或は前記共有探索空間に、さらに一時的C-RNTIでスクランブルされたCRCによってDCI formatのモニターを行うように設置された。
【００４９】
ここで、前記ユーザー設備は、前記コンポーネントキャリアはセカンダリコンポーネントキャリアである場合、前記ユーザー専有探索空間において、ユーザー専有探索空間の候補PDCCHをモニターするに対応する探索空間及び回数は、プライマリーコンポーネントキャリアにおいてユーザー専有探索空間の候補PDCCHをモニターするに対応する探索空間及び回数と同じである。
【００５０】
ここで、前記ユーザー設備は、前記コンポーネントキャリアはセカンダリコンポーネントキャリアである場合、前記ユーザー専有探索空間において、ユーザー専有探索空間の候補PDCCHをモニターするに対応する探索空間及び回数が、プライマリーコンポーネントキャリアにおいてユーザー専有探索空間の候補PDCCHをモニターするに対応する探索空間及び回数より増やされ、ここで、1つ或は複数のアグリゲーションレベルに、合計でK個の候補PDCCHを増やし、前記Kは6の以下である。
【００５１】
ここで、前記Kは3である。
【００５２】
ここで、前記セカンダリコンポーネントキャリアの共有探索空間でのいずれかのDCI formatを検出しない場合、前記Kは6である。
【００５３】
ここで、前記ユーザー設備は、ハイレベルシグナル配置によってプライマリーコンポーネントキャリアとセカンダリコンポーネントキャリアを知り、或はハイレベルシグナルが配置したキャリア集合によってプライマリーコンポーネントキャリア或はセカンダリコンポーネントキャリアを知るように設置された。
【発明の効果】
【００５４】
上記を要にすれば、本発明はLTE-Advancedのキャリア・アグリゲーションのシナリオで、どのようにPDCCHのモニターに対して管理を行う問題を解決する。
【図面の簡単な説明】
【００５５】
【図１】図1は既存技術におけるFDDモードのフレーム構造の模式図である。
【図２】既存技術におけるTDDモードのフレーム構造の模式図である。
【発明を実施するための形態】
【００５６】
本発明はキャリア・アグリゲーションのシナリオでダウンリンク制御情報の検出方法とユーザー設備を提供し、キャリアアグリゲーションシステムにおいてPDCCHのモニターに対して管理を行うことに用いられる。
【００５７】
本発明はダウンリンク制御情報の検出方法を提供し、
キャリア・アグリゲーションのシナリオで、ユーザー設備（UE）は対応するコンポーネントキャリアがプライマリーコンポーネントキャリアであるか又はセカンダリコンポーネントキャリアであるかにより、PDCCHのモニターを行うことを含む。
【００５８】
ここで、前記コンポーネントキャリアはプライマリーコンポーネントキャリアである場合、UEはユーザー専有探索空間と共有探索空間にPDCCHのモニターを行う。具体的に、共有探索空間において、C-RNTI、TPC-PUCCH-RNTI、TPC-PUSCH-RNTI、SPS C-RNTI、SI-RNTI、P-RNTI及びRA-RNTIなどでスクランブルされたCRCによってDCI formatのモニターを行い、かつユーザー専有探索空間において、C-RNTIとSPS C-RNTIなどでスクランブルされたCRCによってDCI formatのモニターを行い、かつ何種類のDCI formatをモニターすることはハイレベルシグナルが配置した伝送モードによって定義された。
【００５９】
ここで、前記コンポーネントキャリアはセカンダリコンポーネントキャリアである場合:
（1）もしこのコンポーネントキャリアの物理ダウンリンク共有チャネル（PDSCH）は同じコンポーネントキャリア上のPDCCHでスケジューリングされるならば、相応のユーザー専有探索空間と前記セカンダリコンポーネントキャリアの共有探索空間でPDCCHのモニターを行う。具体的に、ユーザー専有探索空間に、C-RNTIでスクランブルされたCRCによってDCI formatのモニターを行い、共有探索空間に、C-RNTIでスクランブルされたCRCによってDCI formatのモニターを行い、何種類のDCI formatをモニターするのはハイレベルシグナルが配置した伝送モードによって定義されたのであり、或は、前記コンポーネントキャリアはセカンダリコンポーネントキャリアである場合、もしこのコンポーネントキャリアの物理ダウンリンク共有チャネル（PDSCH）は同じコンポーネントキャリア上のPDCCHでスケジューリングされるならば、前記ユーザー専有探索空間に、C-RNTIでスクランブルされたCRCによってDCI formatのモニターを行い、前記共有探索空間に、C-RNTI、TPC-PUCCH-RNTIとTPC-PUSCH-RNTIでスクランブルされたCRCによってDCI formatのモニターを行い、
（2）前記コンポーネントキャリアはセカンダリコンポーネントキャリアである場合、もしこのコンポーネントキャリアのPDSCHは他のコンポーネントキャリア上のPDCCHでスケジューリングされるならば、ユーザー専有探索空間だけでPDCCHのモニターを行い、共有探索空間でPDCCHのモニターを行わない。具体的に、ユーザー専有探索空間に、C-RNTIでスクランブルされたCRCによってDCI formatのモニターを行い、共有探索空間に、いずれかのDCI formatをモニターしない、
（3）前記コンポーネントキャリアはセカンダリコンポーネントキャリアである場合、相応のユーザー専有探索空間だけでPDCCHのモニターを行い、前記セカンダリコンポーネントキャリアの共有探索空間でPDCCHのモニターを行わない。具体的に、ユーザー専有探索空間に、C-RNTIでスクランブルされたCRCによってDCI formatのモニターを行い、共有探索空間に、いずれかのDCI formatを行わない。該情況は、前記コンポーネントキャリアはセカンダリコンポーネントキャリアであり、かつ前記コンポーネントキャリアの物理ダウンリンク共有チャネル（PDSCH）は同じコンポーネントキャリア上のPDCCHでスケジューリングされ、相応のユーザー専有探索空間だけでPDCCHのモニターを行い、前記セカンダリコンポーネントキャリアの共有探索空間でPDCCHのモニターを行わない情況を含むことを含む。
【００６０】
さらに、ランダムアクセスの操作をする場合、ユーザー専有探索空間或は共有探索空間に、UEはさらに一時的C-RNTI（Temporary C-RNTI）でスクランブルされたCRCによってDCI formatのモニターを行うことができる。
【００６１】
ここで、前記プライマリーコンポーネントキャリアとセカンダリコンポーネントキャリアは、ハイレベルシグナルによって配置されることもあり、或はハイレベルシグナルが配置したキャリア集合によってプライマリーコンポーネントキャリア或はセカンダリコンポーネントキャリアを表示することもある。
【００６２】
ここで、キャリアアグリゲーションのシナリオで、セカンダリコンポーネントキャリアに対して、ユーザー専有探索空間に、UEはプライマリーコンポーネントキャリアのモニター方法によってPDCCHのモニターを行い、UEがユーザー専有探索空間の候補PDCCHをモニターするに対応する探索空間及び回数は、UEがプライマリーコンポーネントキャリアにおいてユーザー専有探索空間の候補PDCCHをモニターするに対応する探索空間及び回数と同じである。
【００６３】
ここで、キャリアアグリゲーションのシナリオで、セカンダリコンポーネントキャリアに対して、さらにユーザー専有探索空間に、UEはプライマリーコンポーネントキャリアのモニター方法によってPDCCHのモニターを行い、しかし、UEがユーザー専有探索空間の候補PDCCHをモニターするに対応する探索空間及び回数はプライマリーコンポーネントキャリアと異なる。具体的に、セカンダリコンポーネントキャリアに対して、UEがユーザー専有探索空間の候補PDCCHをモニターするに対応する探索空間及び回数は、ユーザー設備がプライマリーコンポーネントキャリアにおいてユーザー専有探索空間の候補PDCCHをモニターするに対応する探索空間及び回数より増やされ、ここで、1つ或は複数のアグリゲーションレベルに、合計でK個の候補PDCCHを加え、前記Kは6の以下であり、例えば、（1）における情況に対して、Kは3であればよく、（2）、（3）における情況に対して、即ち前記セカンダリコンポーネントキャリアの共有探索空間のいずれかのDCI formatを検出しない場合、Kは6であればいい。
【００６４】
ここで、基地局はアップ・ダウンリンク伝送モード配置情報と探索空間の定義方法により、プライマリーコンポーネントキャリアとセカンダリコンポーネントキャリアで相応のDCI formatを送信する。この探索空間の定義は後に提出した配置1、配置2と配置3を含む。
【００６５】
さらに説明すると、クロスキャリアスケジューリングは効果になっていない場合、セカンダリコンポーネントキャリアに対して、ユーザー専有探索空間に、UEは前記配置方法の1つによってPDCCHモニターを行い、かつ共有探索空間に、C-RNTIでスクランブルされたCRCだけによってDCI formatのモニターを行う。
【００６６】
さらに説明すると、クロスキャリアスケジューリングが効果になる場合、セカンダリコンポーネントキャリアに対して、もしそれはクロスキャリアスケジューリングの実施コンポーネントキャリアであれば、さらにユーザー専有探索空間に、UEは前記配置方法の1つによってPDCCHモニターを行い、かつ共有探索空間に、C-RNTIでスクランブルされたCRCによってDCI formatモニターを行い、もしそれはクロスキャリアスケジューリングの実施されたコンポーネントキャリアであれば、さらにそれにクロスキャリアスケジューリングを実施したコンポーネントキャリアに、そのユーザー専有探索空間のDCI formatに対してモニターを行い、モニター方法は前記配置方法の1つによってモニターするし、ある1つ或は複数のアグリゲーションレベルに、合計で6個の候補PDCCHを増やした方法によって検出し、しかし、いずれかの共有探索空間でのDCI formatを検出しない。
【００６７】
具体的な共有とユーザー専有探索空間のDCI formatをモニターする方法は、
方法1
キャリアアグリゲーションのシナリオで、プライマリーコンポーネントキャリアに対して、UEは共有探索空間の中に、C-RNTI、TPC-PUCCH-RNTI、TPC-PUSCH-RNTI、SPS C-RNTI、SI-RNTI、P-RNTIとRA-RNTIなどのスクランブルされたCRCによってDCI formatのモニターを行い、かつユーザー専有探索空間には、C-RNTIとSPS C-RNTIなどのスクランブルされたCRCによってDCI formatのモニターを行い、かつ何種類のDCI formatをモニターするのはハイレベルシグナルが配置した伝送モードによって定義されたのである。
【００６８】
セカンダリコンポーネントキャリアに対しては、ユーザー専有探索空間と共有探索空間に、UEはC-RNTIでスクランブルされたCRCによってDCI formatのモニターを行い、かつ何種類のDCI formatをモニターするのはハイレベルシグナルが配置した伝送モードによって定義されたのである。ここで、セカンダリコンポーネントキャリアに対して、ランダムアクセスの操作をする場合、ユーザー専有探索空間に、UEはさらにTemporary C-RNTIでスクランブルされたCRCによってDCI formatのモニターを行う。
【００６９】
セカンダリのコンポーネントキャリアに対して、その共有とユーザー専有探索空間でのPDCCHモニター方法は以下の3種の配置に分けられ、
配置1：
セカンダリコンポーネントキャリアに対して、ユーザー専有探索空間に、UEはプライマリーコンポーネントキャリアのモニター方法によってPDCCHモニターを行い、UEはユーザー専有探索空間をモニターする候補PDCCHの対応の探索空間と回数は、表7に示す通りである。
【表７】
2013530649.tif 000011
【００７０】
配置2：
セカンダリコンポーネントキャリアに対して、ユーザー専有探索空間に、UEはプライマリーコンポーネントキャリアのモニター方法によってPDCCHモニターを行い、しかし、候補PDCCHの数を加える必要があり、UEはユーザー専有探索空間をモニターする候補PDCCHの対応の探索空間と回数は、表8に示す通りである。
【表８】
2013530649.tif 000012
【００７１】
ここで、A，B，CとDは0以上で、同時に、3以下の値であり、かつA+B+C+D=3を満たす。
【００７２】
配置3：
セカンダリコンポーネントキャリアに対して、ユーザー専有探索空間に、UEはプライマリーコンポーネントキャリアのモニター方法によってPDCCHモニターを行い、しかし、候補PDCCHの数を加える必要があり、UEはユーザー専有探索空間をモニターする候補PDCCHの対応の探索空間と回数は、表9に示す通りである。
【表９】
2013530649.tif 000013
【００７３】
ここで、A，B，CとDは0以上で、同時に6の以下である値であり、かつA+B+C+D=6を満たす。
【００７４】
セカンダリコンポーネントキャリアに対して、以下の通りの2種のシナリオがPDCCHモニターを行う設計の必要があり、
シナリオ1：
クロスキャリアスケジューリングが効果になっていない場合、セカンダリのコンポーネントキャリアに対して、ユーザー専有探索空間に、UEは前記配置1或は配置2方法によってPDCCHモニターを行い、かつ共有探索空間に、C-RNTI（Temporary C-RNTI）でスクランブルされたCRCによってDCI formatのモニターを行う。
【００７５】
シナリオ2：
クロスキャリアスケジューリングが効果になる場合、セカンダリコンポーネントキャリアに対して、もしそれはクロスキャリアスケジューリングの実施コンポーネントキャリアであれば、さらにユーザー専有探索空間に、UEは前記配置1或は配置2方法によってPDCCHモニターを行い、かつ共有探索空間に、C-RNTI（Temporary C-RNTI）でスクランブルされたCRCによってDCI formatモニターを行い、もしそれはクロスキャリアスケジューリングの実施されたコンポーネントキャリアであれば、さらにそれにクロスキャリアスケジューリングを実施したコンポーネントキャリアに、そのユーザー専有探索空間のDCI formatに対してモニターをし、モニターの方法は前記配置1或は配置2或は配置3の方法によってモニターをし、しかし、いずれかの共有探索空間でのDCI formatをモニターしない。
【００７６】
方法2
キャリアアグリゲーションのシナリオで、プライマリーコンポーネントキャリアに対して、UEは共有探索空間において、C-RNTI、SPS C-RNTI、SI-RNTI、P-RNTIとRA-RNTIでスクランブルされたCRCによってDCI formatのモニターを行い、かつユーザー専有探索空間において、C-RNTIとSPS C-RNTIでスクランブルされたCRCによってDCI formatのモニターを行い、かつ何種類のDCI formatをモニターしたのはハイレベルシグナルが配置した伝送モードによって定義されたのである。かつセカンダリコンポーネントキャリアに対して、UEはプライマリーコンポーネントキャリアのモニター方法によってユーザー専有探索空間におけるDCI formatをモニターし、共有探索空間に、いずれかのDCI formatをモニターしない。
【００７７】
セカンダリコンポーネントキャリアに対して、その共有とユーザー専有探索空間でPDCCHモニター方法は、以下の2種の配置に分けられ、
配置4：
セカンダリコンポーネントキャリアに対して、ユーザー専有探索空間に、UEはプライマリーコンポーネントキャリアのモニター方法によってPDCCHモニターを行い、UEはユーザー専有探索空間をモニターする候補PDCCHの対応の探索空間と回数は、表7に示す通りである。
【００７８】
配置5：
セカンダリコンポーネントキャリアに対して、ユーザー専有探索空間に、UEはプライマリーコンポーネントキャリアのモニター方法によってPDCCHモニターを行い、しかし、候補PDCCHの数を加える必要があり、UEはユーザー専有探索空間をモニターする候補PDCCHの対応の探索空間と回数は、表9に示す通りである。
【００７９】
ここで、A，B，CとDは0以上で、かつ6以下である値であり、かつA+B+C+D=6を満たす。
【００８０】
セカンダリコンポーネントキャリアに対して、PDCCHモニターを行う必要がある2種のシナリオの設計があり、
シナリオ1：
クロスキャリアスケジューリングが効果になっていない場合、セカンダリのコンポーネントキャリアに対して、ユーザー専有探索空間に、UEは前記配置4或は配置5の方法によってPDCCHモニターを行い、かつ共有探索空間に、いずれかの有探索空間での全てのDCI formatをモニターしない。
【００８１】
シナリオ2：
クロスキャリアスケジューリングが効果になる場合、セカンダリのコンポーネントキャリアに対して、もしそれはクロスキャリアスケジューリンの実施コンポーネントキャリアであれば、或はそれはクロスキャリアスケジューリングの実施されたコンポーネントキャリアであれば、さらにユーザー専有探索空間に、UEは前記配置4或は配置5の方法によってPDCCHモニターを行い、かつ共有探索空間に、共有探索空間でのすべてのDCI formatをモニターしない。
【００８２】
実施例1
キャリアアグリゲーションのシナリオで、UEはどうすればPDCCHモニターを行うことに対して、以下の方式で行っても良い:
キャリアアグリゲーションのシナリオで、プライマリーコンポーネントキャリアに対して、UEは共有探索空間において、C-RNTI、SPS C-RNTI、SI-RNTI、P-RNTIとRA-RNTIでスクランブルされたCRCによってDCI formatのモニターを行い、かつユーザー専有探索空間において、C-RNTIとSPS C-RNTIでスクランブルされたCRCによってDCI formatのモニターを行い、かつ何種類のDCI formatをモニターするのはハイレベルシグナルが配置した伝送モードによって定義されたのである。かつセカンダリのコンポーネントキャリアに対して、UEはプライマリーコンポーネントキャリアのモニター方法によってユーザー専有探索空間におけるDCI formatをモニターし、共有探索空間に、C-RNTIでスクランブルされたCRCだけによってDCI formatのモニターを行い、具体的に、DCI format 1Cをモニターしないことであり、ただDCI format 1A或はDCI format 0或はDCI format 3/3Aだけをモニターする。
【００８３】
セカンダリコンポーネントキャリアに対して、その共有とユーザー専有探索空間にPDCCHモニターの方法は、以下の2種の配置に分けられ、
配置1：
セカンダリコンポーネントキャリアに対して、ユーザー専有探索空間に、UEはプライマリーコンポーネントキャリアのモニター方法によってPDCCHモニターを行い、UEはユーザー専有探索空間をモニターする候補PDCCHの対応の探索空間と回数は、表7に示す通りである。
【００８４】
さらに、ユーザー専有探索空間でのモニター回数はまたプライマリーコンポーネントキャリア上のモニター回数と同じであり、（6＋6＋2＋2）×2＝32であり、かつ共有探索空間でのモニター回数は半分に減らし、4＋2＝6であり、プライマリーコンポーネントキャリアでの（4＋2）×2＝12ではない。
【００８５】
配置2：
セカンダリコンポーネントキャリアに対して、ユーザー専有探索空間に、UEはプライマリーコンポーネントキャリアのモニター方法によってPDCCHモニターを行い、しかし、候補PDCCHの数を加える必要があり、UEはユーザー専有探索空間をモニターする候補PDCCHの対応の探索空間と回数は、表8に示す通りである。
【００８６】
ここで、A，B，CとDは0以上で、同時に3以下の値であり、かつA+B+C+D=3を満たす。A＝1，B＝2，C＝0，D＝0であり、さらに例えば、 A＝2，B＝1，C＝0，D＝0である。
【００８７】
さらに、ユーザー専有探索空間でのモニター回数はプライマリーコンポーネントキャリアのモニター回数と異なり、従来の（6＋6＋2＋2）×2＝32から（6＋A＋6＋B＋2＋C＋2＋D）×2のように変化してき、かつ共有探索空間でのモニター回数は半分に減らし、4＋2＝6であり、プライマリーコンポーネントキャリア上の（4＋2）×2＝12ではない。
【００８８】
配置3：
セカンダリコンポーネントキャリアに対して、ユーザー専有探索空間に、UEはプライマリーコンポーネントキャリアのモニター方法によってPDCCHモニターを行い、しかし、候補PDCCHの数を加える必要があり、UEはユーザー専有探索空間をモニターする候補PDCCHの対応の探索空間と回数は、表9に示す通りである。
【００８９】
ここで、A，B，CとDは0以上で、同時に6以下の値であり、かつA+B+C+D=6を満たす。A＝4，B＝2，C＝0，D＝0であり、さらに例えば、 A＝0，B＝4，C＝2，D＝0である。
【００９０】
さらに、ユーザー専有探索空間でのモニター回数はプライマリーコンポーネントキャリアと異なり、従来の（6＋6＋2＋2）×2＝32から（6＋A＋6＋B＋2＋C＋2＋D）×2のように変化しておき、かつ共有探索空間でのモニター回数は0であり、プライマリーコンポーネントキャリア上の（4＋2）×2＝12ではない。
【００９１】
セカンダリコンポーネントキャリアに対して、以下の2種のシナリオのPDCCHモニターを行う必要がある設計があり、
シナリオ1：
クロスキャリアスケジューリングが効果になっていない場合、セカンダリのコンポーネントキャリアに対して、ユーザー専有探索空間に、UEは前記配置1或は配置2の方法によってPDCCHモニターを行い、かつ共有探索空間に、C-RNTI（Temporary C-RNTI）でスクランブルされたCRCだけによってDCI formatのモニターを行う。
【００９２】
シナリオ2：
クロスキャリアスケジューリングが効果になる場合、セカンダリのコンポーネントキャリアに対して、もしそれはクロスキャリアスケジューリングの実施コンポーネントキャリアであれば、さらに、ユーザー専有探索空間に、UEは前記配置1或は配置2の方法によってPDCCHモニターを行い、かつ共有探索空間に、C-RNTIでスクランブルされたCRCによってDCI formatモニターを行い、もしそれはクロスキャリアスケジューリングの実施されたコンポーネントキャリアであれば、それにクロスキャリアスケジューリングを実施したコンポーネントキャリアの上に其のユーザー専有探索空間のDCI formatに対してモニターを行い、モニターの方法は前記配置1或は配置2或は配置3の方法によってモニターし、いずれかの共有探索空間でのDCI formatをモニターしない。
【００９３】
実施例2
キャリア・アグリゲーションのシナリオで、UEはどうすればPDCCHモニターを行うことに対して、以下の方式で行って良い:
キャリア・アグリゲーションのシナリオで、プライマリーコンポーネントキャリアに対して、UEは共有探索空間において、C-RNTI、SPS C-RNTI、SI-RNTI、P-RNTIとRA-RNTIでスクランブルされたCRCによってDCI formatのモニターを行い、かつユーザー専有探索空間において、C-RNTIとSPS C-RNTIでスクランブルされたCRCによってDCI formatのモニターを行い、何種類のDCI formatをモニターするのは、ハイレベルシグナルが配置した伝送モードによって定義されたのである。かつセカンダリのコンポーネントキャリアに対して、UEはプライマリーコンポーネントキャリアのモニター方法によってユーザー専有探索空間におけるDCI formatをモニターし、共有探索空間に、共有探索空間でのすべてのDCI formatをモニターしなく、具体的にDCI format 1C、DCI format 1A，DCI format 0とDCI format 3/3Aをモニターしないことである。
【００９４】
セカンダリのコンポーネントキャリアに対して、その共有とユーザー専有探索空間にPDCCHモニターの方法は、以下の2種の配置に分けられる。
配置4：
セカンダリコンポーネントキャリアに対して、ユーザー専有探索空間に、UEはプライマリーコンポーネントキャリアのモニター方法によってPDCCHモニターを行い、UEはユーザー専有探索空間をモニターする候補PDCCHの対応の探索空間と回数は、表7に示す通りである。
さらに、ユーザー専有探索空間でのモニター回数はまたプライマリーコンポーネントキャリアと同じであり、（6＋6＋2＋2）×2＝32であり、かつ共有探索空間でのモニター回数は0であり、プライマリーコンポーネントキャリアの（4＋2）×2＝12ではない。
【００９５】
配置5：
セカンダリコンポーネントキャリアに対して、ユーザー専有探索空間に、UEはプライマリーコンポーネントキャリアのモニター方法によってPDCCHモニターを行い、しかし、候補PDCCHの数を加える必要があり、UEはユーザー専有探索空間をモニターする候補PDCCHの対応の探索空間と回数は、表9に示す通りである。
【００９６】
ここで、A，B，CとDは0以上で、同時に6以下の値であり、かつA+B+C+D=6を満たす。例えば、A＝3，B＝3，C＝0，D＝0であり、さらに例えば、 A＝6，B＝0，C＝0，D＝0である。
【００９７】
さらに、ユーザー専有探索空間でのモニター回数はプライマリーコンポーネントキャリアのものと異なり、もとの（6＋6＋2＋2）×2＝32から（6＋A＋6＋B＋2＋C＋2＋D）×2のように変化しておき、かつ共有探索空間でのモニター回数は0になっており、プライマリーコンポーネントキャリア上の（4＋2）×2＝12ではない。
【００９８】
セカンダリコンポーネントキャリアに対して、以下の2種のシナリオのPDCCHモニターを行う必要がある設計があり:
シナリオ1：
クロスキャリアスケジューリングが効果になっていない場合、セカンダリのコンポーネントキャリアに対して、ユーザー専有探索空間に、UEは前記配置4或は配置5の方法によってPDCCHモニターを行い、かつ共有探索空間に、共有探索空間での全てのDCI formatをモニターしない。
【００９９】
シナリオ2：
クロスキャリアスケジューリングが効果になる場合、セカンダリのコンポーネントキャリアに対して、もしそれはクロスキャリアスケジューリングの実施コンポーネントキャリアであれば、或は、それはクロスキャリアスケジューリングの実施されたコンポーネントキャリアであれば、さらに、ユーザー専有探索空間に、UEは前記の配置4或は配置5の方法によってPDCCHモニターを行い、かつ共有探索空間に、共有探索空間での全てのDCI formatをモニターしない。
【０１００】
本発明はさらにユーザー設備を提供し、前記ユーザー設備はキャリア・アグリゲーションのシナリオで、コンポーネントキャリアはプライマリーコンポーネントキャリアであるか又はセカンダリコンポーネントキャリアであるかにより、該コンポーネントキャリアに物理ダウンリンク制御チャネルのモニターを行う。
【０１０１】
ここで、前記ユーザー設備は、前記コンポーネントキャリアはプライマリーコンポーネントキャリアである場合:
共有探索空間において、セル無線ネットワーク一時識別子（C-RNTI）、伝送電力制御-物理アップリンク制御チャネル無線ネットワーク一時識別子（TPC-PUCCH-RNTI）、伝送電力制御-物理アップリンク共有チャネル無線ネットワーク一時識別子（TPC-PUSCH-RNTI）、セミパーシステントスケジューリングセル無線ネットワーク一時識別子（SPS C-RNTI）、システムメッセージセル無線ネットワーク一時識別子（SI-RNTI）、ページングセル無線ネットワーク一時識別子（P-RNTI）とランダムアクセスセル無線ネットワーク一時識別子（RA-RNTI）でスクランブルされた巡回冗長検査（CRC）によってダウンリンク制御情報フォーマット（DCI format）のモニターを行い、
ユーザー専有探索空間において、C-RNTIとSPS C-RNTIでスクランブルされたCRCによってDCI formatのモニターを行うことに用いられる。
【０１０２】
ここで、前記ユーザー設備は、前記コンポーネントキャリアはセカンダリコンポーネントキャリアである場合、もしこのコンポーネントキャリアの物理ダウンリンク共有チャネル（PDSCH）は同じコンポーネントキャリア上のPDCCHでスケジューリングされるならば、相応のユーザー専有探索空間と前記セカンダリコンポーネントキャリアでの共有探索空間にPDCCHのモニターを行うことに用いられる。
【０１０３】
ここで、前記ユーザー設備は、前記コンポーネントキャリアはセカンダリコンポーネントキャリアである場合、もしこのコンポーネントキャリアの物理ダウンリンク共有チャネル（PDSCH）は同じコンポーネントキャリア上のPDCCHでスケジューリングされるならば、前記ユーザー専有探索空間に、C-RNTIでスクランブルされたCRCによってDCI formatのモニターを行い、前記共有探索空間に、C-RNTIでスクランブルされたCRCによってDCI formatのモニターを行うことに用いられる。
【０１０４】
ここで、前記ユーザー設備は、前記コンポーネントキャリアはセカンダリコンポーネントキャリアである場合、もしこのコンポーネントキャリアのPDSCHはほかのコンポーネントキャリア上のPDCCHでスケジューリングされるならば、前記ユーザー専有探索空間だけでPDCCHのモニターを行い、前記共有探索空間でPDCCHモニターを行うことに用いられる。
【０１０５】
ここで、前記ユーザー設備は、前記コンポーネントキャリアはセカンダリコンポーネントキャリアである場合、もしこのコンポーネントキャリアのPDSCHはほかのコンポーネントキャリア上のPDCCHでスケジューリングされるならば、前記ユーザー専有探索空間に、C-RNTIでスクランブルされたCRCによってDCI formatのモニターを行い、前記共有探索空間に、いずれかのDCI formatをモニターしないことに用いられる。
【０１０６】
ここで、前記ユーザー設備は、前記コンポーネントキャリアはセカンダリコンポーネントキャリアである場合、相応のユーザー専有探索空間だけでPDCCHのモニターを行い、前記セカンダリコンポーネントキャリアの共有探索空間でPDCCHモニターを行わないことに用いられる。
【０１０７】
ここで、前記ユーザー設備は、前記コンポーネントキャリアはセカンダリコンポーネントキャリアである場合、前記ユーザー専有探索空間に、C-RNTIでスクランブルされたCRCによってDCI formatのモニターを行い、前記共有探索空間に、いずれかのDCI formatをモニターしないことに用いられる。
【０１０８】
ここで、前記ユーザー設備は、ランダムアクセスの操作をする場合、前記ユーザー専有探索空間或前記共有探索空間に、また一時的C-RNTIでスクランブルされたCRCによってDCI formatのモニターを行うことに用いられる。
【０１０９】
ここで、前記ユーザー設備は、前記コンポーネントキャリアはセカンダリコンポーネントキャリアである場合、前記ユーザー専有探索空間に、ユーザー専有探索空間の候補PDCCHをモニターするに対応の探索空間及び回数は、プライマリーコンポーネントキャリア上にユーザー専有探索空間の候補PDCCHをモニターするに対応の探索空間及び回数と同じであることに用いられる。
【０１１０】
ここで、前記ユーザー設備は、前記コンポーネントキャリアはセカンダリコンポーネントキャリアである場合、前記ユーザー専有探索空間に、ユーザー専有探索空間の候補PDCCHをモニターするに対応の探索空間及び回数は、プライマリーコンポーネントキャリア上にユーザー専有探索空間の候補PDCCHをモニターするに対応の探索空間及び回数より増やされ、ここで、1つ或は複数のアグリゲーションレベルに、合計でK個の候補PDCCHを加え、前記Kは6以下であることに用いられる。
【０１１１】
ここで、前記Kは3である。
【０１１２】
ここで、前記セカンダリコンポーネントキャリアの共有探索空間でのいずれかのDCI formatを検出しない場合、前記Kは6である。
【０１１３】
ここで、前記ユーザー設備はハイレベルシグナル配置によってプライマリーコンポーネントキャリアとセカンダリコンポーネントキャリアを知り、或はハイレベルシグナルが配置したキャリア集合によってプライマリーコンポーネントキャリア或はセカンダリコンポーネントキャリアを知ることに用いられる。
【０１１４】
上記を要約すれば、本発明はLTE-Advancedのキャリア・アグリゲーションのシナリオで、どのようにPDCCHのモニターに対して管理を行う問題を解決する。
【０１１５】
上記のものは、本発明の具体的な実施形態だけであり、しかし、本発明の保護範囲はこれに制限をせず、任意の本技術分野に熟する従業員は本発明の公開された技術範囲内だけで、変更と交替を簡単に考えられ、本発明の保護範囲内にカバーされるべきである。従って、本発明の保護範囲は請求項に記載の保護範囲を基準とするべきである。
【産業上の利用可能性】
【０１１６】
本発明はLTE-Advancedのキャリア・アグリゲーションのシナリオで、どのようにPDCCHのモニターに対して管理を行う問題を解決する。
【図１】
2013530649.tif 000014
【図２】
2013530649.tif 000015
【国際調査報告】
2013530649.tif 000016
2013530649.tif 000017
2013530649.tif 000018
2013530649.tif 000019